【手続補正書】
【提出日】令和3年11月22日(2021.11.22)
【手続補正１】
【補正対象書類名】特許請求の範囲
【補正対象項目名】全文
【補正方法】変更
【補正の内容】
【特許請求の範囲】
【請求項１】
ハイダイナミックレンジおよび／または広色域（ＨＤＲ／ＷＣＧ）ビデオデータを処理する方法であって、前記方法は、
前記ＨＤＲ／ＷＣＧビデオデータのブロックの量子化された変換係数のための量子化パラメータを決定することと、
非量子化変換係数を決定するために、前記決定された量子化パラメータに基づいて前記量子化された変換係数を逆量子化することと、
前記非量子化変換係数に基づいて、前記ＨＤＲ／ＷＣＧビデオデータの前記ブロックのための残差値のブロックを決定することと、
前記残差値のブロックに基づいて、前記ＨＤＲ／ＷＣＧビデオデータの前記ブロックのための再構成されたブロックを決定することと、
前記ＨＤＲ／ＷＣＧビデオデータの前記ブロックのための１つまたは複数のダイナミックレンジ調整（ＤＲＡ）パラメータを決定することと、
１つまたは複数の調整されたＤＲＡパラメータを決定するために、前記決定された量子化パラメータに基づいて前記１つまたは複数のＤＲＡパラメータを調整することと、
前記１つまたは複数の調整されたＤＲＡパラメータを使用して、前記ＨＤＲ／ＷＣＧビデオデータの前記再構成されたブロックに対してＤＲＡを実行することと、
を備え、
前記ＨＤＲ／ＷＣＧビデオデータの前記ブロックのための前記１つまたは複数のＤＲＡパラメータは、前記ＨＤＲ／ＷＣＧビデオデータの前記ブロックのルーマ成分のためのスケーリングパラメータと、前記ＨＤＲ／ＷＣＧビデオデータの前記ブロックの前記ルーマ成分のためのオフセットパラメータとを備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記ルーマ成分のための調整されたスケーリングパラメータと、前記ＨＤＲ／ＷＣＧビデオデータの前記ブロックの前記ルーマ成分のための調整されたオフセットパラメータと、を備え、
前記ＨＤＲ／ＷＣＧビデオデータの前記ブロックのための前記１つまたは複数のＤＲＡパラメータは、前記ＨＤＲ／ＷＣＧビデオデータの前記ブロックのクロマ成分のためのスケーリングパラメータと、前記ＨＤＲ／ＷＣＧビデオデータの前記ブロックの前記クロマ成分のためのオフセットパラメータとを備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記クロマ成分のための調整されたスケーリングパラメータと、前記ＨＤＲ／ＷＣＧビデオデータの前記ブロックの前記クロマ成分のための調整されたオフセットパラメータと、を備える、方法。
【請求項２】
前記ＨＤＲ／ＷＣＧビデオデータの前記ブロックのための前記１つまたは複数のＤＲＡパラメータを決定することは、前記ＨＤＲ／ＷＣＧビデオデータの前記ブロックのルーマ成分のための量子化パラメータと前記ＨＤＲ／ＷＣＧビデオデータの前記ブロックのクロマ成分のための量子化パラメータとの間の依存性に基づいて、前記ＨＤＲ／ＷＣＧビデオデータの前記ブロックのための前記１つまたは複数のＤＲＡパラメータのうちの少なくとも１つを導出することを備える、請求項１に記載の方法。
【請求項３】
復号する前記方法は、符号化プロセスの一部として実行される、請求項２に記載の方法。
【請求項４】
ハイダイナミックレンジおよび／または広色域（ＨＤＲ／ＷＣＧ）ビデオデータを処理するためのデバイスであって、前記デバイスは、
ビデオデータを記憶するように構成されたメモリと、
前記メモリに結合された１つまたは複数のプロセッサと、を備え、前記１つまたは複数のプロセッサは、
前記ＨＤＲ／ＷＣＧビデオデータのブロックの量子化された変換係数のための量子化パラメータを決定することと、
非量子化変換係数を決定するために、前記決定された量子化パラメータに基づいて前記量子化された変換係数を逆量子化することと、
前記非量子化変換係数に基づいて、前記ＨＤＲ／ＷＣＧビデオデータの前記ブロックのための残差値のブロックを決定することと、
前記残差値のブロックに基づいて、前記ＨＤＲ／ＷＣＧビデオデータの前記ブロックのための再構成されたブロックを決定することと、
前記ＨＤＲ／ＷＣＧビデオデータの前記ブロックのための１つまたは複数のダイナミックレンジ調整（ＤＲＡ）パラメータを決定することと、
１つまたは複数の調整されたＤＲＡパラメータを決定するために、前記決定された量子化パラメータに基づいて前記１つまたは複数のＤＲＡパラメータを調整することと、
前記１つまたは複数の調整されたＤＲＡパラメータを使用して、前記ＨＤＲ／ＷＣＧビデオデータの前記再構成されたブロックに対してＤＲＡを実行することと、
を行うように構成され、
前記ＨＤＲ／ＷＣＧビデオデータの前記ブロックのための前記１つまたは複数のＤＲＡパラメータは、前記ＨＤＲ／ＷＣＧビデオデータの前記ブロックのルーマ成分のためのスケーリングパラメータと、前記ＨＤＲ／ＷＣＧビデオデータの前記ブロックの前記ルーマ成分のためのオフセットパラメータとを備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記ルーマ成分のための調整されたスケーリングパラメータと、前記ＨＤＲ／ＷＣＧビデオデータの前記ブロックの前記ルーマ成分のための調整されたオフセットパラメータと、を備え、
前記ＨＤＲ／ＷＣＧビデオデータの前記ブロックのための前記１つまたは複数のＤＲＡパラメータは、前記ＨＤＲ／ＷＣＧビデオデータの前記ブロックのクロマ成分のためのスケーリングパラメータと、前記ＨＤＲ／ＷＣＧビデオデータの前記ブロックの前記クロマ成分のためのオフセットパラメータとを備え、前記ＨＤＲ／ＷＣＧビデオデータの前記ブロックのための前記１つまたは複数の調整されたＤＲＡパラメータは、前記ＨＤＲ／ＷＣＧビデオデータの前記ブロックの前記クロマ成分のための調整されたスケーリングパラメータと、前記ＨＤＲ／ＷＣＧビデオデータの前記ブロックの前記クロマ成分のための調整されたオフセットパラメータと、を備える、デバイス。
【請求項５】
前記１つまたは複数の調整されたＤＲＡパラメータは、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータとを備える、請求項４に記載のデバイス。
【請求項６】
前記１つまたは複数の調整されたＤＲＡパラメータは、前記ＨＤＲ／ＷＣＧビデオデータの前記ブロックのルーマ成分のための調整されたＤＲＡパラメータと、前記ＨＤＲ／ＷＣＧビデオデータの前記ブロックの第１のクロマ成分のための調整されたＤＲＡパラメータと、前記ＨＤＲ／ＷＣＧビデオデータの前記ブロックの第２のクロマ成分のための調整されたＤＲＡパラメータとを備える、請求項４に記載のデバイス。
【請求項７】
前記ＨＤＲ／ＷＣＧビデオデータの前記ブロックのための前記１つまたは複数のＤＲＡパラメータを決定するために、前記１つまたは複数のプロセッサは、前記１つまたは複数のＤＲＡパラメータの指示を、前記ＨＤＲ／ＷＣＧビデオデータ中のシンタックス要素として受信するように構成される、請求項４に記載のデバイス。
【請求項８】
前記ＨＤＲ／ＷＣＧビデオデータの前記再構成されたブロックは、前記再構成されたブロックのフィルタリングされたバージョンを備える、請求項４に記載のデバイス。
【請求項９】
前記ＨＤＲ／ＷＣＧビデオデータの前記ブロックのための前記１つまたは複数のＤＲＡパラメータを決定するために、前記１つまたは複数のプロセッサは、前記ＨＤＲ／ＷＣＧビデオデータの前記ブロックのルーマ成分のための量子化パラメータと前記ＨＤＲ／ＷＣＧビデオデータの前記ブロックのクロマ成分のための量子化パラメータとの間の依存性に基づいて、前記ＨＤＲ／ＷＣＧビデオデータの前記ブロックのための前記１つまたは複数のＤＲＡパラメータのうちの少なくとも１つを導出するように構成される、請求項４に記載のデバイス。
【請求項１０】
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出するために、前記１つまたは複数のプロセッサは、ＱＰ−ＤＲＡスケール変換（QP to DRA scale conversion）を実行することによって、前記１つまたは複数のＤＲＡパラメータのうちの前記少なくとも１つを導出するように構成される、請求項９に記載のデバイス。
【請求項１１】
前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性に基づいて、前記ＨＤＲ／ＷＣＧビデオデータの前記ブロックのための前記１つまたは複数のＤＲＡパラメータのうちの前記少なくとも１つを導出するために、前記１つまたは複数のプロセッサは、ＤＲＡスケール−ＱＰ変換（DRA scale to QP conversion）を実行することによって、前記１つまたは複数のＤＲＡパラメータのうちの前記少なくとも１つを導出するように構成される、請求項９に記載のデバイス。
【請求項１２】
前記ルーマ成分のための前記量子化パラメータと前記クロマ成分のための前記量子化パラメータとの間の前記依存性は、コーデックによって定義される、請求項９に記載のデバイス。
【請求項１３】
前記１つまたは複数のプロセッサは、
前記ＨＤＲ／ＷＣＧビデオデータ中のシンタックス要素を受信するようにさらに構成され、前記シンタックス要素のための値は、前記ＨＤＲ／ＷＣＧビデオデータの前記ブロックの前記ルーマ成分のための前記量子化パラメータと前記ＨＤＲ／ＷＣＧビデオデータの前記ブロックの前記クロマ成分のための前記量子化パラメータとの間の前記依存性を定義する、
請求項９に記載のデバイス。
【請求項１４】
前記デバイスは、ワイヤレス通信デバイスを備え、符号化されたビデオデータを受信するように構成された受信機をさらに備え、
前記ワイヤレス通信デバイスは、好ましくは、電話ハンドセットを備え、前記受信機は、ワイヤレス通信規格に従って前記符号化されたビデオデータを備える信号を復調するように構成され、または、
前記デバイスは、ワイヤレス通信デバイスを備え、符号化されたビデオデータを送信するように構成された送信機をさらに備え、前記ワイヤレス通信デバイスは、好ましくは、電話ハンドセットを備え、前記送信機は、ワイヤレス通信規格に従って、前記符号化されたビデオデータを備える信号を変調するように構成される、
請求項５に記載のデバイス。
【請求項１５】
命令を記憶するコンピュータ可読媒体であって、前記命令は、１つまたは複数のプロセッサによって実行されると、前記１つまたは複数のプロセッサに、請求項１〜３のいずれか一項に記載の方法を行わせる、コンピュータ可読媒体。